(57)【要約】【課題】窓戸の開閉によらず確実に窓遮熱シートにより窓開口を遮熱でき、かつ窓遮熱シートを安定的に建築物の外面側に取り付けることができる窓遮熱シート取付具および窓遮熱シート取付構造を提供する。【解決手段】窓遮熱シート取付具１０は、建築物１の外面に取付固定される略平板状の固定部１１と、該固定部１１の両端より起立し、ボルト軸孔１２ａを有した一対の緊締用起立片１２、１２とを備えた構成とされ、両緊締用起立片１２、１２を、両ボルト軸孔１２ａ、１２ａに挿通した緊締用ボルト１５と、緊締用ナット１６との螺合により緊締して、窓遮熱シート３を取り付けるための棒状体（溝形フレーム２０）を両緊締用起立片１２、１２間に挿通固定する構造とされる。【選択図】図１
2014062408.tif 000002
【特許請求の範囲】
【請求項１】
建築物の外面に取付固定される略平板状の固定部と、該固定部の両端より起立し、ボルト軸孔を有した一対の緊締用起立片とを備えた略Ｕ字状の窓遮熱シート取付具であって、
前記両緊締用起立片を、両ボルト軸孔に挿通した緊締用ボルトと、緊締用ナットとの螺合により緊締して、窓遮熱シートを取り付けるための棒状体を両緊締用起立片間に挿通固定する構造としたことを特徴とする窓遮熱シート取付具。
【請求項２】
請求項１において、
前記固定部と、前記一対の緊締用起立片とは一体に成形されている窓遮熱シート取付具。
【請求項３】
請求項１または２において、
前記固定部には、該固定部の取付位置を前記緊締用起立片の並設方向にスライド調整できるようにした、前記建築物の外面に対し固定具で固定するための長孔が開設されている窓遮熱シート取付具。
【請求項４】
請求項１〜３のいずれか１項に記載の窓遮熱シート取付具を用いた窓遮熱シート取付構造であって、
前記窓遮熱シート取付具は、前記建築物の窓開口の相対する両辺縁のそれぞれの近傍部位に取り付けてあり、
前記両辺縁のそれぞれに対応する１組の前記窓遮熱シート取付具に棒状体が固定され、該棒状体間に窓遮熱シートが張設されていることを特徴とする窓遮熱シート取付構造。
【請求項５】
請求項４において、
前記窓遮熱シートはその一端縁部または両端縁部の少なくとも一方が着脱自在となるように張設されている窓遮熱シート取付構造。
【発明の詳細な説明】
【技術分野】
【０００１】
本発明は、建築物の外面に取付固定される窓遮熱シート取付具および窓遮熱シート取付構造に関する。
【背景技術】
【０００２】
窓からガラスを通して入り込む太陽熱を遮断する方法として、窓遮熱シートをガラスに貼り付けたり、窓遮熱シートを窓枠内に嵌め入れたりしてガラスに重ね合わせる方法が提案されている（特許文献１、２参照）。
【先行技術文献】
【特許文献】
【０００３】
【特許文献１】特開２００８−２１４８５１号公報
【特許文献２】特開２００７−５６６３４号公報
【発明の概要】
【発明が解決しようとする課題】
【０００４】
しかしながら、上記のように窓遮熱シートをガラスに重ね合わせる方法では、窓を開放したときには窓戸とともに窓遮熱シートも移動するため、その開放された部分の遮熱効果は当然になくなる。また、窓遮熱シートは窓戸に一体化されているので、取り外しがしにくいという欠点もある。
【０００５】
窓遮熱シートをすだれのように窓枠に取り付ければ上記問題は解消されるが、窓遮熱シートは柔軟な材料で形成されているため、そのような方法では風雨によって揺れたり外れたりおそれがある。
【０００６】
本発明は、このような事情を考慮して提案されたもので、その目的は、窓戸の開閉によらず確実に窓遮熱シートにより窓開口を遮熱でき、かつ窓遮熱シートを安定的に建築物の外面側に取り付けることができる窓遮熱シート取付具および窓遮熱シート取付構造を提供することにある。
【課題を解決するための手段】
【０００７】
上記目的を達成するために、請求項１に記載の窓遮熱シート取付具は、建築物の外面に取付固定される略平板状の固定部と、該固定部の両端より起立し、ボルト軸孔を有した一対の緊締用起立片とを備えた略Ｕ字状の窓遮熱シート取付具であって、両緊締用起立片を、両ボルト軸孔に挿通した緊締用ボルトと、緊締用ナットとの螺合により緊締して、窓遮熱シートを取り付けるための棒状体を両緊締用起立片間に挿通固定する構造としたことを特徴とする。
【０００８】
請求項２に記載の窓遮熱シート取付具は、固定部と、一対の緊締用起立片とは一体に成形されていることを特徴とする。
【０００９】
請求項３に記載の窓遮熱シート取付具は、固定部には、該固定部の取付位置を緊締用起立片の並設方向にスライド調整できるようにした、建築物の外面に対し固定具で固定するための長孔が開設されていることを特徴とする。
【００１０】
請求項４に記載の窓遮熱シート取付構造は、請求項１〜３のいずれか１項に記載の窓遮熱シート取付具を用いた窓遮熱シート取付構造であって、窓遮熱シート取付具は、建築物の窓開口の相対する両辺縁のそれぞれの近傍部位に取り付けてあり、両辺縁のそれぞれに対応する１組の窓遮熱シート取付具に棒状体が固定され、該棒状体間に窓遮熱シートが張設されていることを特徴とする。
【００１１】
請求項５に記載の窓遮熱シート取付構造は、窓遮熱シートはその一端縁部または両端縁部の少なくとも一方が着脱自在となるように張設されていることを特徴とする。
【発明の効果】
【００１２】
請求項１に記載の窓遮熱シート取付具によれば、上述の構成となっているため建築物の外面にしっかりと固定され、それにより、窓遮熱シート取付具に取り付けられる棒状体をしっかりと固定でき、さらに、その棒状体に取り付けられる窓遮熱シートをしっかりと張設することができる。窓遮熱シートは棒状体間に張設されるように設置できるので、すだれのように揺れたりぐらついたりするおそれはない。
【００１３】
また、窓遮熱シート取付具は上述の構成となっているため、窓戸の開閉に関係なく窓遮熱シートを所定の位置に断熱できるように保持することができる。
【００１４】
請求項２に記載の窓遮熱シート取付具によれば、固定部と、一対の緊締用起立片とが一体に成形されているので、窓遮熱シート取付具の製造を簡易かつ安価にでき、窓遮熱シート取付具を強固に構成することもできる。
【００１５】
請求項３に記載の窓遮熱シート取付具によれば、固定部に緊締用起立片の並設方向にスライド調整するための長孔が開設されているので、窓遮熱シート取付具の取付位置を調節でき、そのため窓遮熱シートを適切な張り具合に張設することができる。
【００１６】
請求項４に記載の窓遮熱シート取付構造によれば、１組の窓遮熱シート取付具ごとに棒状体を取り付けて、それらの間に窓遮熱シートを張設した構造であるため、窓遮熱シートをがたつきのない安定した状態に固定することができる。
【００１７】
請求項５に記載の窓遮熱シート取付構造によれば、窓遮熱シートの一端縁部または両端縁部の少なくとも一方を着脱自在とした構成であるため、窓遮熱シートを一方の棒状体に巻き上げたり、全体を取り外したりすることができ、その結果、窓遮熱シートの取り付けの態様を状況に応じて種々変動させることができる。
【図面の簡単な説明】
【００１８】
【図１】本発明の一実施形態に係る窓遮熱シート取付具の説明図であり、（ａ）は窓遮熱シート取付具の締め付け前の状態を示す正面図、（ｂ）は同締め付け後の状態を示す正面図、（ｃ）は同側面図、（ｄ）は同平面図である。
【図２】窓遮熱シート取付具の展開図である。
【図３】窓遮熱シート取付具の取付状態を示す部分縦断面図であり、（ａ）は締め付け前、（ｂ）は締め付け後の各状態を示す図である。
【図４】窓遮熱シート取付具の取付態様例を示す概略正面図である。
【図５】（ａ）は窓遮熱シートの取付態様を示す概略縦断面図、（ｂ）は窓遮熱シートの取付態様の他例を示す概略縦断面図である。
【図６】（ａ）は、窓遮熱シートの取付態様のさらなる他例を示す概略縦断面図であり、（ｂ）（ｃ）は、その例に用いられる棒状体の各部材の概略縦断面図である。
【図７】窓遮熱シート取付具の他の取付態様例を示す概略正面図である。
【発明を実施するための形態】
【００１９】
以下に、本発明の実施の形態について、添付図面を参照しながら説明する。
【００２０】
図１（ａ）〜（ｄ）に示した窓遮熱シート取付具１０は、建築物１の外面側に開口した窓開口２に対応して取り付けされる、窓遮熱シート３を取り付けるための取付具であり、たとえば、図４に示したように、窓開口２の上下４箇所に取り付けて使用される。
【００２１】
図４の例では、窓遮熱シート取付具１０、１０、・・・は、窓開口２の相対する両辺縁のそれぞれの近傍部位に、後述する溝形フレーム２０などの棒状体が上下の窓枠２ａに平行となるように取り付けられている。この窓遮熱シート取付具１は、左右１組の窓遮熱シート取付具１０、１０で棒状体（たとえば溝形フレーム２０）を支持し、上下１組の窓遮熱シート取付具１０、１０ごとに対応させて取り付けた上下の棒状体のそれぞれに窓遮熱シート３の端部を固定して、窓遮熱シート３を張設するものである。
【００２２】
本図例に示した窓遮熱シート取付具１０は、以下に後述するように、溝形フレーム２０とパイプ３０の２種の棒状体を同時に固定できる構造となっている。
【００２３】
この窓遮熱シート取付具１０は、図２の展開図に示すように金属板を曲げ加工して成形され、図１の各図に示すように、建築物１の外面に固定される平板状の固定部１１と、固定部１１の両端より向かい合って上方に延び、ボルト軸孔１２ａ、１２ａを有した緊締用起立片１２、１２とを備えて、正面視略Ｕ字状に形成されてなる。
【００２４】
固定部１１は、その奥行寸法は緊締用起立片１２の奥行（幅）寸法よりも大きく、向かい合う突出片１３、１３により形成された正面開口の連通方向のそれぞれの方向に延びた延出固定片１１ａ、１１ａを有してなる（図１（ｄ）参照）。
【００２５】
それぞれの延出固定片１１ａ、１１ａには、アンカーボルト１４の固定孔として緊締用起立片１２、１２の並設方向に長い長孔１１ｂ、１１ｂが形成されている。窓遮熱シート取付具１０は、この長孔１１ｂ、１１ｂにアンカーボルト１４が挿通され、建築物１の外壁面等に取り付けられて固定される。なお、固定孔は長孔１１ｂに限られず丸孔であってもよい。
【００２６】
緊締用起立片１２の幅方向の両側端には、他方の緊締用起立片１２側に向かって延びた突出片１３、１３が形成されている。突出片１３は、その上部において、さらに突出した、溝形フレーム２０を固定するための押圧部１３ａを備えている。
【００２７】
また、突出片１３における、緊締用ボルト１５の挿通高さ位置よりも低い位置には、相互に向かい合うように凹んだパイプ嵌合用の嵌合凹部１３ｂが形成されている。
【００２８】
両緊締用起立片１２、１２は、基部よりも上部が相互に遠ざかるようにやや開いており、両緊締用起立片１２、１２のボルト軸孔１２ａ、１２ａに挿通された緊締用ボルト１５と、緊締用ナット１６とを螺合、螺進させることで、両緊締用起立片１２、１２の上部が相互に近づくように構成されている（図３（ａ）（ｂ）参照）。
【００２９】
緊締用ボルト１５の頭部１５ａが配される一方の緊締用起立片１２の外面のボルト軸孔１２ａの両側には、緊締用ナット１６を緊締用ボルト１５に螺合して緊締する際に緊締用ボルト１５が供回りしないように、回り止め片１２ｂが設けられている。
【００３０】
この窓遮熱シート取付具１０は、建築物１の外壁面に取り付けられ、図３（ａ）（ｂ）に示したように、Ｕ字の上部開口を横方向に向けた状態で、Ｕ字の底を構成する固定部１１が外壁面に接触するように取り付けされる。
【００３１】
この建築物１の外壁は（鉄筋）コンクリートで製され、窓遮熱シート取付具１０がアンカーボルト１４で取り付けされている。外壁はコンクリートに限られず、レンガ、瓦、陶磁器質タイル、繊維強化セメント板、モルタルなど種々の外壁材料で製されたものでもよい。
【００３２】
また、この窓遮熱シート取付具１０は、外壁面に設けられた窓に限られず、屋根面に設けた天窓に対して取り付けることもできる。
【００３３】
さらに、この窓遮熱シート取付具１０は、引き違い窓や上げ下げ窓、嵌め殺し窓など種々の窓に適用できるが、掃き出し窓や玄関引き違い戸など、床や土間から上方に大きく開いた窓開口２を対象として取り付けることもできる（図７参照）。たとえば、図７に示したように、窓遮熱シート取付具１０、１０、・・・を掃き出し窓の窓開口２の上部に対応させて窓近傍の外壁面の左右２箇所ずつに取り付けて、窓遮熱シート３を、上下方向に沿って配した溝形フレーム２０、２０間に張設されるように取り付けることも可能である。
【００３４】
図３に示した、外壁面に取り付けされる窓遮熱シート取付具１０および窓遮熱シート３は、次の手順で建築物１の外壁面に固定される。
【００３５】
すなわち、まず緊締用ボルト１５と緊締用ナット１６とで窓遮熱シート取付具１０を仮止め状態にしておき、固定部１１の裏面を外壁面に接触させ、固定部１１の延出固定片１１ａの長孔より、アンカーボルト１４を外壁の予め設けておいたボルト孔に打ち込む。
【００３６】
こうして、窓遮熱シート取付具１０は建築物１の外壁面に固定される。このような取付方法にて、窓の四隅の近傍位置に計４個の窓遮熱シート取付具を取り付ける。この状態では、いずれの窓遮熱シート取付具１０も緊締用起立片１２、１２が開いた状態にある。
【００３７】
ついで、同一高さ位置の２つの窓遮熱シート取付具１０、１０に架設するように溝形フレーム２０を緊締用起立片１２、１２間の空間に挿入する。
【００３８】
さらに、緊締用ボルト１５と緊締用ナット１６との螺合により両緊締用起立片１２、１２を緊締することで、両緊締用起立片１２、１２の上部（図３における右側部）が相互に近づき、突出片１３、１３の押圧部１３ａ、１３ａで溝形フレーム２０の側壁２２、２２を押圧して溝形フレーム２０を固定する。このように溝形フレーム２０は、その溝開口２１が窓遮熱シート取付具１０の先端よりも側方に突出した状態で、窓遮熱シート取付具１０に固定される（図３（ｂ）参照）。
【００３９】
このように固定された上下の溝形フレーム２０、２０に、窓遮熱シート３の両端を固定して窓遮熱シート３が張設される。
【００４０】
窓遮熱シートは３、柔軟性、伸縮性を有し、太陽熱を反射して遮熱する合成樹脂シートで構成されており、たとえば太陽熱等を反射して遮熱する銀色等に着色した樹脂糸材を縦横に編んで形成した織物シートを好適に使用できる。
【００４１】
窓遮熱シート３は、溝形フレーム２０の溝開口２１とフレームカバー２５との間に挟み込んで、ビスによりフレームカバー２５が溝形フレーム２０に固定される（図５（ａ）参照）。
【００４２】
窓遮熱シート取付具１０の固定部１１には、緊締用起立片１２、１２の並設方向にスライド調整するための長孔１１ｂ、１１ｂが開設されているので、窓遮熱シート３を少し弛ませた状態で取り付けておき、その後、長孔１１ｂ、１１ｂで張り具合を調節するようにしてもよい。
【００４３】
以上のように、溝形フレーム２０は建築物１の外面にしっかりと固定されるため、溝形フレーム２０に取り付けられる窓遮熱シート３も落下することなくしっかりと固定される。また、窓遮熱シート取付具１０は建築物１の外面に固定される構成であるため、窓戸の開閉に関係なく常時、窓遮熱シート３が張設された状態を保持でき、その結果、遮熱効果を継続させることができる。
【００４４】
また、窓遮熱シート３と、屋内のカーテンやブラインドとを組み合わせて、遮熱効果を高めることもできる。
【００４５】
さらに、この窓遮熱シート取付具１０によれば、緊締用起立片１２、１２を緊締するだけで溝形フレーム２０を建築物１に固定できる構成であるため、窓遮熱シート３の取付作業を迅速に効率的に行うことができる。さらに、溝形フレーム２０は、緊締用ボルト１５の軸部１５ｂと、両押圧部１３ａ、１３ａとにより挟み込まれる構成であるため、緊締用起立片１２、１２間の空間内で溝形フレーム２０がずれなくしっかりと固定される。
【００４６】
また、両緊締用起立片１２、１２を緊締用ボルト１５と緊締用ナット１６で緊締するだけの簡易な固定構造であるため簡単に作業できるし、棒状体の固定作業のために多数の部品を用いる必要もない。
【００４７】
さらに、窓遮熱シート取付具１０は、固定部１１と、一対の緊締用起立片１２、１２とが一体に成形されてなるので、窓遮熱シート取付具１０自体の製造コストもかからないし、窓遮熱シート取付具１０の強度も担保できる。
【００４８】
また、窓遮熱シート３は溝形フレーム２０とフレームカバー２５との間に固定される構成であるため、フレームカバー２５を取り外すことで簡単に窓遮熱シート３も取り外すことができる。このように窓遮熱シート３が着脱自在な窓遮熱シート取付構造であるため、取り付け、取り外しを簡単に行える。
【００４９】
以上のように窓遮熱シート３は簡単に取り付けできる構成であるため、建築物に設けた種々の窓に適用できる。たとえば上階の窓にも簡易に取り付けできる。また、図７に示したように、窓遮熱シート取付構造を掃き出し窓に適用すれば、窓遮熱シートをよしずやオーニング（日よけ）の代わりに利用することができる。
【００５０】
ついで、図１に示した窓遮熱シート取付具１０に取り付けるパイプ３０の固定構造について説明する。
【００５１】
上述したように、窓遮熱シート取付具１０の突出片１３、１３にはパイプ嵌合用の嵌合凹部１３ｂ、１３ｂが形成されている（図１および図２参照）。
【００５２】
パイプ３０は、向かい合う嵌合凹部１３ｂ、１３ｂの間に挟み込まれて固定される。なお、パイプ３０を固定するための窓遮熱シート取付具１０の緊締手順は溝形フレーム２０の場合と同様であるため、その説明は省略する。また、パイプ３０と溝形フレーム２０とを同時に固定するようにしてもよい。
【００５３】
このように、パイプ３０は、図３（ｂ）の２点鎖線で示したように窓遮熱シート取付具１０に固定され、図５（ｂ）に示すように、窓遮熱シート３は上下のパイプ３０、３０間に張設される。
【００５４】
なお、図５（ｂ）の図例では、窓遮熱シート３の上端は上部のパイプに巻回されて縫合により取り外しできないようになっている一方、窓遮熱シート３の下端は下部のパイプ３０に巻回されて面ファスナー３ａ（図例）やホックなどの着脱容易な止具で固定できるようになっている。なお、上下ともに着脱自在な構成としてもよい。
【００５５】
このように、窓遮熱シート３の下部を着脱容易としているため、遮熱が不要なときは、窓遮熱シート３を上部のパイプ３０に巻きつけておくこともできる。
【００５６】
また、窓遮熱シート取付具１０に、溝形フレーム２０とパイプ３０の両方を取り付けて、窓遮熱シート３を二重に配設するようにしてもよい。遮熱の程度の異なる２枚の窓遮熱シート３を組み合わせて、季節、気候等に応じた異なる遮熱作用にて遮熱するようにしてもよい。
【００５７】
図６は、さらに他の棒状体の例を示す概略縦断面図であり、図６（ａ）（ｃ）は、棒状体を構成する部材の各概略縦断面図である。この例は、棒状体として、幕状体挟み具Ｈを用いたものである。なお、窓遮熱シート取付具１０としては図１と同種のものが用いられる。
【００５８】
幕状体挟み具Ｈは、窓遮熱シート取付具１０の突出片１３、１３間に挟持固定されるベース片４０と、開閉操作によってベース片４０との間に窓遮熱シート３を挟着固定する挟着片５０とを組み合わせてなる。
【００５９】
ベース片４０は、略平板状の基板部４１と、挟着片５０側に突出した凸部４２と、凸部４２の一方壁のほぼ中央より基板部４１に略平行に延びた「へ」の字形の係合受片４３とを備えている（図６（ｂ）参照）。
【００６０】
幕状体挟み具Ｈは、基板部４１の上下端が窓遮熱シート取付具１０の突出片１３、１３に設けた切欠き凹部１３ｃに圧入または挿着され、上下から突出片（緊締用起立片）により挟持されて、ずれないように固定される。この切欠き凹部１３ｃは、図１に示した窓遮熱シート取付具１０におけるパイプ３０を固定するための嵌合凹部１３ｂの代わりに設けてもよいし、嵌合凹部１３ｂの底部に設けてもよい。
【００６１】
係合受片４３は、基板部４１に対してほぼ平行に延び、途中で外側に突出した折曲部４３ａを備えた折曲板片よりなり、その折曲部４３ａよりも先端側には、挟着片５０と係合するための、円柱状の支軸部４３ｃを含む係合受部４３ｂを備えている。
【００６２】
凸部４２は、挟着片５０の畳み込み操作の際のストッパとして作用する。また、この凸部４２の裏側の凹所は、この幕状体挟み具Ｈを取付対象にボルト止めする場合のボルト頭の収容部として使用される。
【００６３】
挟着片５０は、平板部５１と、平板部５１の一方の側端部（図１（ｃ）の図の下部）より湾曲状に折曲して延びた係合片５２と、平板部５１の他の側端部より延びたレバー部５３とを備えている（図６（ｃ）参照）。
【００６４】
係合片５２は、平板部５１との折曲部の内側に、ベース片４０の係合受部４３ｂの支軸部４３ｃを係合するための軸受け凹部５２ｂを備え、係合片５２の本体部５２ａの先端部に、さらに内側に巻き込むように折曲された平板部５１にほぼ平行な挟着部５２ｃを備えている。
【００６５】
挟着片５０の係合片５２の軸受け凹部５２ｂと、ベース片４０の係合受部４３ｂの支軸部４３ｃとが係合することで、図６（ａ）に示したように、挟着片５０はベース片４０に対し回動自在に取り付けられた状態となる。
【００６６】
挟着片５０が開いた状態（図６（ａ）の下方部参照）では、係合片５２の本体部５２ａはベース片４０の基板部４１にほぼ平行な状態にあり、係合片５２と基板部４１との間には、窓遮熱シート３を出し入れできる程度の間隙が形成されている。
【００６７】
開いた状態にある挟着片５０のレバー部５３を操作して、ベース片４０側に回動させて畳み込むと、係合片５２の本体部５２ａがベース片４０の基板部４１に対して傾斜した状態となる一方、挟着部５２ｃが基板部４１に対して面接触（圧接）する状態となる。
【００６８】
幕状体挟み具Ｈは、このような挟着片５０の開閉による間隙の消滅（縮小）と生成（拡大）の動作により、窓遮熱シート３の挟着による取り付けと、取り外しとができるようになっている。
【００６９】
このように、幕状体挟み具Ｈは幕状体の着脱を容易とした構成であるため、窓遮熱シート３の窓遮熱シート取付具１０への取り付け、取り外しを、より簡単に行うことができる。
【符号の説明】
【００７０】
１        建築物
２        窓開口
２ａ      窓枠
３        窓遮熱シート
３ａ      面ファスナー（止具）
４        床
１０      窓遮熱シート取付具
１１      固定部
１１ａ    延出固定片
１１ｂ    長孔
１２      緊締用起立片
１２ａ    ボルト軸孔
１２ｂ    回り止め片
１３      突出片
１３ａ    押圧部
１３ｂ    嵌合凹部
１３ｃ    切欠き凹部
１４      アンカーボルト
１５      緊締用ボルト
１５ａ    頭部
１５ｂ    軸部
１６      緊締用ナット
２０      溝形フレーム（棒状体）
２１      溝開口
２２      側壁
２５      フレームカバー
２６      ビス
３０      パイプ（棒状体）
Ｈ        幕状体挟み具（棒状体）
４０      ベース片
４１      基板部
４２      凸部
４３      係合受片
４３ａ    折曲部
４３ｂ    係合受部
４３ｃ    支軸部
５０      挟着片
５１      平板部
５２      係合片
５２ａ    本体部
５２ｂ    軸受け凹部
５２ｃ    挟着部
５３      レバー部
【図１】
2014062408.tif 000003
【図２】
2014062408.tif 000004
【図３】
2014062408.tif 000005
【図４】
2014062408.tif 000006
【図５】
2014062408.tif 000007
【図６】
2014062408.tif 000008
【図７】
2014062408.tif 000009